(57)【要約】【課題】筐体が閉じた状態での通話時の操作性を向上させるとともに、誤操作を防止するようにする。【解決手段】携帯通信端末装置としての携帯電話機１は、第１筐体２と第２筐体３とがヒンジ部４を介して開閉可能に結合されてなる構成において、第１筐体２と第２筐体３とが閉じた状態でのみ外部に露出するヒンジ部４に、通話機能を実行させるスライド／プッシュスイッチから構成されるヒンジ操作部５が配設されている。【選択図】図１
2009135707.tif 000002
【特許請求の範囲】
【請求項１】
第１筐体と第２筐体とがヒンジ部を介して開閉可能に結合されてなる携帯通信端末装置であって、
前記ヒンジ部に、通信機能を実行させるヒンジ操作部を配設したことを特徴とする携帯通信端末装置。
【請求項２】
第１筐体と第２筐体とがヒンジ部を介して開閉可能に結合されてなる携帯通信端末装置であって、
前記第１筐体と前記第２筐体とが閉じた状態でのみ外部に露出する前記ヒンジ部に、通信機能を実行させるヒンジ操作部を配設したことを特徴とする携帯通信端末装置。
【請求項３】
前記第１筐体は、前記第２筐体と対向する内面に第１表示部をかつ前記第２筐体と対向しない外面に第３表示部をそれぞれ備えるとともに、前記第２筐体は、前記第１筐体と対向する内面に第２表示部を備えることを特徴とする請求項１又は２記載の携帯通信端末装置。
【請求項４】
前記第１筐体と前記第２筐体とが開いた状態では、前記第１表示部及び前記第２表示部の全面を表示部として利用可能に構成されていることを特徴とする請求項３記載の携帯通信端末装置。
【請求項５】
前記ヒンジ操作部は、スライド／プッシュスイッチから構成されることを特徴とする請求項１乃至４の何れか１つに記載の携帯通信端末装置。
【請求項６】
前記第２表示部及び／又は前記第３表示部は、タッチパネルから構成されることを特徴とする請求項１乃至５の何れか１つに記載の携帯通信端末装置。  
【請求項７】
第１筐体と第２筐体とがヒンジ部を介して開閉可能に結合されてなる携帯通信端末装置であって、
前記ヒンジ部に、通話機能を実行させるヒンジ操作部を配設したことを特徴とする携帯通信端末装置。
【請求項８】
第１筐体と第２筐体とがヒンジ部を介して開閉可能に結合されてなる携帯通信端末装置であって、
前記第１筐体と前記第２筐体とが閉じた状態でのみ外部に露出する前記ヒンジ部に、通話機能を実行させるヒンジ操作部を配設したことを特徴とする携帯通信端末装置。
【請求項９】
前記第１筐体は、前記第２筐体と対向する内面に第１表示部をかつ前記第２筐体と対向しない外面に第３表示部をそれぞれ備えるとともに、前記第２筐体は、前記第１筐体と対向する内面に第２表示部を備えることを特徴とする請求項７又は８記載の携帯通信端末装置。
【請求項１０】
前記第１筐体と前記第２筐体とが開いた状態では、前記第１表示部及び前記第２表示部の全面を表示部として利用可能に構成されていることを特徴とする請求項９記載の携帯通信端末装置。
【請求項１１】
前記ヒンジ操作部は、スライド／プッシュスイッチから構成されることを特徴とする請求項７乃至１０の何れか１つに記載の携帯通信端末装置。
【請求項１２】
前記第２表示部及び／又は前記第３表示部は、タッチパネルから構成されることを特徴とする請求項７乃至１１の何れか１つに記載の携帯通信端末装置。
【発明の詳細な説明】
【技術分野】
【０００１】
この発明は、携帯通信端末装置に係り、詳しくは、携帯電話機のように第１筐体と第２筐体とがヒンジ部を介して開閉可能に結合されてなる構成の携帯通信端末装置に関する。
【背景技術】
【０００２】
携帯通信端末装置の代表である携帯電話機は、文字情報又は画像情報を表示する表示部を備える筐体と、テンキー等の複数の情報入力キーが配置されている操作部を備える筐体とが、ヒンジ部を介して開閉可能に結合された構成のものが広く使用されている。このような構成の携帯電話機では、使用時以外は両筐体を閉じて一体に折り畳むことで全体の小型化が図られている。
【０００３】
また、近年の携帯電話機は多機能化が進んでおり、ＰＤＡ（個人向け携帯型情報機器）や携帯ゲーム機器などとの融和が図られている。しかしながら、携帯電話機において本来の通話機能に加えてそのような多機能化を実現するには、スペースの限られた筐体にそれぞれの機能に必要な入力キー（小型の入力キー）を用意するか、複数の入力キーを兼用するなどの工夫をしなければならないので、操作性を犠牲にする必要がある。また、使用時は筐体を開いた状態でキー操作を行うので、操作性の低下に伴って、誤操作による誤発信などが避けられない。さらに、スペースの限られた筐体に表示部を備えているので、大画面化を図るには筐体の面積を増加しなければならず、小型化に逆行することになる。
【０００４】
図４は，従来の携帯電話機の一例の外観を示すもので、（ａ）は筐体が閉じた状態の外観斜視図、（ｂ）は筐体が開いた状態の外観斜視図である（特許文献１）。この携帯電話機１００は、同図に示すように、上側筐体１０２と下側筐体１０３とがヒンジ１０４を介して折り畳み自在に結合された構成において、上側筐体１０２は、下側筐体１０３に対向する内面にこの内面のほぼ全体を表示面とする主表示部１０５を備えるとともに、外面にヒンジ１０４近傍に受話部１０７を備えている。一方、下側筐体１０３は、内面に主操作部１１０を備え、かつ、外部に露出する個所でヒンジ１０４から離れた個所に送話部１１１を備えている。このような構成の携帯電話機１００によれば、上側筐体１０２の受話部１０７及び下側筐体１０３の送話部１１１により、通話時に閉じた状態で使用することができ、また、上側筐体１０２の内面には受話部が存在しないので、小型化を阻害することなしに表示部の面積の拡大が可能になるとされている。
【０００５】
図５は、従来の携帯電話機の他の例の外観を示すもので、（ａ）は閉じた状態の外観斜視図、（ｂ）は開いた状態の外観斜視図である（特許文献２）。この携帯電話機２００は、同図に示すように、上側筐体２０２と下側筐体２０３とがヒンジ２０４を介して折り畳み自在に結合された構成において、上側筐体２０２は、下側筐体２０３に対向する内面に主表示部２０５及び主受話部２０６を備えるとともに、外面に副表示部２０８及び副受話部２０７を備えている。一方、下側筐体２０３は、上側筐体２０２に対向する内面上の上側筐体２０２で覆われる部分に主操作部２１０を備えるとともに、上側筐体２０２で覆われない部分に送話部２１１を備えている。このような構成の携帯電話機２００によれば、上側筐体２０２の主受話部２０６及び副受話部２０７、下側筐体２０３の送話部２１１により、閉じた状態でも開いた状態でも通話ができるので、操作性が良くなるとされている。
【特許文献１】特開２００３‐０８７３７２
【特許文献２】特開２００３‐０８７３７９
【０００６】
なお、特許文献１には、閉じた状態で通話を行う場合は、下側筐体１０３の左側面に配設されているＲＰ（ロータリー＆プッシュ）スイッチを操作することが開示されているが、本願発明のようにヒンジ部に通話機能を実行させるためのヒンジ操作部を配設することは開示されていない。
特許文献２にも、特許文献１と同様に閉じた状態で通話を行う場合は、下側筐体２０３の左側面に配設されているＲＰスイッチを操作することが開示されているが、本願発明のようにヒンジ部に通話機能を実行させるためのヒンジ操作部を配設することは開示されていない。
【発明の開示】
【発明が解決しようとする課題】
【０００７】
ところで、従来の携帯電話機には、次のような問題がある。
まず、特許文献１に開示されている携帯電話機１００では、閉じた状態で通話を行う場合、下側筐体１０３の左側に配設されているＲＰスイッチを操作して行うが、一般に下側筐体の側面にはシャッタースイッチやライトスイッチなどの他のスイッチが配設されていることが多いので、操作時に正確に必要なスイッチを操作することは困難であり、操作性が悪くなる。また、これに伴って誤操作による誤発信なども避けられなくなる。
次に、特許文献２に開示されている携帯電話機２００でも、特許文献１とほぼ同様であり、閉じた状態で通話を行う場合は、下側筐体２０３の左側に配設されているＲＰスイッチを操作して行うが、前述したような理由で、操作時に正確に必要なスイッチを操作することは困難であり、操作性が悪くなる。また、誤操作による誤発信なども避けられなくなる。
【０００８】
この発明は、上述の事情に鑑みてなされたもので、筐体が閉じた状態での通話時の操作性を向上させるとともに、誤操作を防止することができるようにした携帯通信端末装置を提供することを目的としている。
【課題を解決するための手段】
【０００９】
上記課題を解決するために、この発明の第１の構成は、第１筐体と第２筐体とがヒンジ部を介して開閉可能に結合されてなる携帯通信端末装置に係り、前記ヒンジ部に、通信機能を実行させるヒンジ操作部を配設したことを特徴としている。
【００１０】
また、この発明の第２の構成は、第１筐体と第２筐体とがヒンジ部を介して開閉可能に結合されてなる携帯通信端末装置に係り、前記ヒンジ部に、通信機能を実行させるヒンジ操作部を配設したことを特徴としている。
【発明の効果】
【００１１】
この発明の携帯通信端末装置によれば、第１筐体２と第２筐体３とがヒンジ部４を介して開閉可能に結合されてなる構成において、通話時は筐体を閉じた状態でのみ外部に露出するヒンジ操作部５を操作するだけでよい。したがって、筐体が閉じた状態での通話時の操作性を向上させるとともに、誤操作を防止することができるようになる。
【発明を実施するための最良の形態】
【００１２】
携帯通信端末装置としての携帯電話機１は、第１筐体２と第２筐体３とがヒンジ部４を介して開閉可能に結合されてなる構成において、第１筐体２と第２筐体３とが閉じた状態でのみ外部に露出するヒンジ部４に、通話機能を実行させるスライド／プッシュスイッチから構成されるヒンジ操作部５が配設されている。
【実施形態】
【００１３】
図１は、この発明の一の実施形態である携帯通信端末装置の筐体が閉じた状態を示す概略図で、（ａ）はヒンジ部を介して第１筐体と第２筐体とが一体に折り畳まれた外観を示す概略側面図、（ｂ）はスライド／プッシュスイッチが配設されたヒンジ操作部の外観を示す概略背面図、（ｃ）は表示状態の第３表示部を備える第１筐体の外面を示す概略平面図、（ｄ）は無表示状態の第３表示部を備える第１筐体の外面を示す概略平面図である。また、図２は、同携帯通信端末装置の筐体が開いた状態を示す概略図で、（ａ）は第１筐体と第２筐体とが開かれた外観を示す概略側面図、（ｂ）はゲーム利用時の表示状態の第１表示部を備える第１筐体の内面及び第２表示部を備える第２筐体の内面を示す概略平面図、（ｃ）はクワーティキー利用時の表示状態の第１表示部を備える第１筐体の内面及び第２表示部を備える第２筐体の内面を示す概略平面図、図３は同携帯通信端末装置の電気的な構成を示すブロック図である。
【００１４】
この実施形態の携帯通信端末装置が適用される携帯電話機１は、図１及び図２に示すように、第１筐体２と第２筐体３とがヒンジ部４を介して開閉可能に結合されてなる構成において、第１筐体２と第２筐体３とが閉じた状態でのみ外部に露出するヒンジ部４に、通話機能を実行させるように動作する例えば、スライド／プッシュスイッチから構成されるヒンジ操作部５が配設されている。ヒンジ部４は各筐体２，３を電気的及び機械的に結合するように構成されている。
【００１５】
このような構成により、携帯電話機１は、各筐体２、３が閉じた状態でのみヒンジ部４のヒンジ操作部５を操作することにより通話ポジションが確保され、各筐体２、３が開いた状態ではヒンジ操作部５が外部に露出されないため操作できないので、各筐体２，３が閉じた状態における通話時の操作性を向上させるとともに、誤操作を防止することができる。
【００１６】
この実施形態の携帯電話機１は、プログラム制御により動作し、通話機能以外にもメール送受信、インターネット接続などの通信機能を備え、さらにゲーム機能、電子手帳機能などを備えて多機能化に対応できるように構成されている。
【００１７】
第１筐体２は、第２筐体３と対向する内面に配設され、液晶表示装置などから構成されて画像、図形、文字、記号などの情報表示出力を行う第１表示部６を備えている。また、第１筐体２は、第２筐体３と対向しない外面に、液晶表示装置などから構成されて画像、図形、文字、記号などの情報表示出力を行う表示機能、及び圧力や静電容量などの方式により利用者の入力操作を感知するスイッチ機能を兼ね備えたタッチパネル（タッチスクリーン）である第３表示部８を備えている。
【００１８】
一方、第２筐体３は、第１筐体２と対向する内面に、液晶表示装置などから構成されて画像、図形、文字、記号などの情報表示出力を行う表示機能、及び圧力や静電容量などの方式により利用者の入力操作を感知するスイッチ機能を兼ね備えたタッチパネル（タッチスクリーン）である第２表示部７を備えている。また、第２筐体３の一端部にはマイク１１が、その他端部にはスピーカ１２がそれぞれ配置されている。
【００１９】
各筐体２，３が開いた状態では、図２に示すように、第１表示部６及び第２表示部７の全面を１つの表示部として利用可能に構成されている。したがって、各筐体２、３が閉じた状態で実行される通話機能以外では、各筐体２，３の面積を増加することなく大画面化を図ることができるようになる。なお、アプリケーションプログラムを追加、あるいは削除することにより、通信機能以外の機能については、追加、あるいは削除するようにしてもよい。
【００２０】
この実施形態の携帯電話機１は、図３に示すように、アンテナ９を介して図示しない無線基地局装置との間で無線により情報の送受を行う無線通信部１０と、第１筐体２の内面に配設された上述の第１表示部６と、第２筐体３の内面に配設された上述の第２表示部７と、第１筐体２の外面に配設された上述の第３表示部８と、送話部を構成するマイク１１及び受話部を構成するスピーカ１２を介して入出力された音声信号の処理を行う音声処理部１３とを備えて構成されている。
【００２１】
さらに、この実施形態の携帯電話機１は、ヒンジ部４に配設されて通話（発信及び受信）に関する利用者の入力操作を検出するスライド／プッシュスイッチから構成されたヒンジ操作部５と、楽音や報知音などの鳴音出力を行うスピーカ部１４と、電話帳情報、送受信メール情報、発着信情報、コンテンツ情報、アプリケーションプログラム情報、携帯電話機の諸設定などを格納する記憶部１５と、電話機能、メール機能、インターネット（web）接続機能、コンテンツ再生機能、ゲーム機能、その他の端末の有する機能や各部の制御を行う制御部１６とを備えている。
【００２２】
次に、この実施形態による携帯電話機１の通話機能の動作について説明する。
携帯電話機１は、第１筐体２と第２筐体３とが閉じた状態が通話ポジションに設定されているので、この状態で第１筐体２の外面に露出しているタッチパネルから構成された第３表示部８に、テンキー情報（０〜９、＊、＃キー）、待ち受け情報（電池残量、電界強度、年月日など）、通話先に関する情報（電話番号など）を表示する。
【００２３】
まず、発信時は、テンキーにより電話番号の入力、あるいはテンキーのうちの任意のキーの長押しによって電話帳に格納された所定メモリ番号を呼び出すことにより、発信希望の電話番号を第３表示部８に表示させる。例えば、図１（ｃ）に示したように、テンキーを表示させる。そして、その電話番号が表示されたら、閉じた状態でのみ外部に露出するヒンジ部４に配設されたヒンジ操作部５のスライド／プッシュスイッチを操作（押下）することにより、発信操作を行う。続いて、マイク１１及びスピーカ１２を利用することにより、通話を開始する。
【００２４】
次に、着信時は、スピーカ部１４からの鳴音出力があった後に、ヒンジ操作部５のスライド／プッシュスイッチを操作（押下）することにより、着信操作を行う。そして、発信時と同様に、続いて、マイク１１及びスピーカ１２を利用することにより、通話を開始する。この場合、発信者番号が通知されている場合は、この番号が第３表示部８に表示されるので、発信者を特定することが可能になる。また、省電力化のため、所定時間のヒンジ操作部５の無操作で、図１（ｄ）に示したように、無表示状態に移行させるようにする。
【００２５】
通話機能以外の機能を利用する場合、例えばゲーム機能を利用する場合は、予め必要なアプリケーションプログラムを追加した上で、第１筐体２と第２筐体３とが開いた状態で、第２筐体３の内面から露出するタッチパネルから構成された第２表示部７の任意のキーを操作することで、図２（ｂ）に示したように、第１筐体２の第１表示部６にゲーム内容を表示しながら、楽しむことができる。この場合、第１表示部６と第２表示部７との全面を１枚の表示部として表示させることが可能なので、大画面化を図ることにより迫力のあるゲームを楽しむことができるようになる。図２（ｃ）は、ＱＷＥＲＴＹ（クワーティ）キー利用時のキー配置を示している。
【００２６】
このように、この実施形態の携帯電話機１によれば、第１筐体２と第２筐体３とがヒンジ部４を介して開閉可能に結合されてなる構成において、第１筐体２と第２筐体３とが閉じた状態でのみ外部に露出するヒンジ部４に、通話機能を実行させるスライド／プッシュスイッチから構成されるヒンジ操作部５が配設されているので、操作時に必要なスイッチを正確に操作することが容易になる。
したがって、筐体が閉じた状態での通話時の操作性を向上させるとともに、誤操作を防止することができる。
【００２７】
以上、この発明の実施形態を図面により詳述してきたが、具体的な構成はこの実施形態に限られるものではなく、この発明の要旨を逸脱しない範囲の設計の変更等があってもこの発明に含まれる。例えば、上述の実施形態では携帯電話機に例をあげて説明したが、これに限らずに第１筐体と第２筐体とがヒンジ部を介して開閉可能に結合されてなる構成のものであれば、例えば、ＰＤＡなどのような他の携帯通信端末装置全般に対しても適用することができる。また、ヒンジ操作部はスライド／プッシュスイッチにより構成する例で説明したが、これに限らずに同等な動作をするスイッチであれば代用が可能である。また、マイク及びスピーカの配置位置は、筐体が閉じた状態で利用可能な位置であれば適宜変更することができる。
【図面の簡単な説明】
【００２８】
【図１】この発明の一の実施形態である携帯通信端末装置の筐体が閉じた状態を示す概略図で、（ａ）はヒンジ部を介して第１筐体と第２筐体とが一体に折り畳まれた外観を示す概略側面図、（ｂ）はスライド／プッシュスイッチが配設されたヒンジ操作部の外観を示す概略背面図、（ｃ）は表示状態の第３表示部を備える第１筐体の外面を示す概略平面図、（ｄ）は無表示状態の第３表示部を備える第１筐体の外面を示す概略平面図である。
【図２】同携帯通信端末装置の筐体が開いた状態を示す概略図で、（ａ）は第１筐体と第２筐体とが開かれた外観を示す概略側面図、（ｂ）はゲーム利用時の表示状態の第１表示部を備える第１筐体の内面及び第２表示部を備える第２筐体の内面を示す概略平面図、（ｃ）はクワーティキー利用時の表示状態の第１表示部を備える第１筐体の内面及び第２表示部を備える第２筐体の内面を示す概略平面図である。
【図３】同携帯通信端末装置の電気的な構成を示すブロック図である。
【図４】従来の携帯電話機の一例の外観を示すもので、（ａ）は筐体が閉じた状態の外観斜視図、（ｂ）は筐体が開いた状態の外観斜視図である。
【図５】従来の携帯電話機の他の例の外観を示すもので、（ａ）は閉じた状態の外観斜視図、（ｂ）は開いた状態の外観斜視図である。
【符号の説明】
【００２９】
１    携帯電話機（携帯通信端末装置）
２    第１筐体
３    第２筐体
４    ヒンジ部
５    ヒンジ操作部（スライド／プッシュスイッチ）
６    第１表示部
７    第２表示部
８    第３表示部
９    アンテナ
１０    無線通信部
１１    マイク
１２    スピーカ
１３    音声処理部
１４    スピーカ部
１５    記憶部
１６    制御部
【図１】
2009135707.tif 000003
【図２】
2009135707.tif 000004
【図３】
2009135707.tif 000005
【図４】
2009135707.tif 000006
【図５】
2009135707.tif 000007